(57)【要約】【課題】ウィンドウの一面に印刷部を埋め込み、印刷部の厚さによる段差を除去することで、ウィンドウと透明基板を接着させる接着層に気泡が生じることを最小化することができるタッチパネルを提供する。【解決手段】本発明によるタッチパネル１００は、ウィンドウ１１０と、ウィンドウ１１０の一面に形成された凹部１１５に埋め込まれた印刷部１２０と、透明基板１３０と、透明基板１３０の一面または両面に形成された電極パターン１４０と、ウィンドウ１１０の一面と透明基板１３０を接着させる接着層１５０と、を含むものである。【選択図】図１
2013122762.tif 000002
【特許請求の範囲】
【請求項１】
ウィンドウと、
前記ウィンドウの一面に形成された凹部に埋め込まれた印刷部と、
透明基板と、
前記透明基板の一面または両面に形成された電極パターンと、
前記ウィンドウの一面と前記透明基板を接着させる接着層と、
を含むことを特徴とするタッチパネル。
【請求項２】
前記凹部の厚さと前記印刷部の厚さは、同一であることを特徴とする請求項１に記載のタッチパネル。
【請求項３】
前記印刷部は、スパッタ（Ｓｐｕｔｔｅｒ）により形成されることを特徴とする請求項１に記載のタッチパネル。
【請求項４】
前記印刷部は、黒色、白色、金色、赤色、緑色、黄色、灰色、紫色、褐色、青色またはこれらを組み合わせた色を有することを特徴とする請求項１に記載のタッチパネル。
【請求項５】
前記接着層は、光学用透明接着剤（Ｏｐｔｉｃａｌ  Ｃｌｅａｒ  Ａｄｈｅｓｉｖｅ；ＯＣＡ）であることを特徴とする請求項１に記載のタッチパネル。
【請求項６】
前記電極パターンに連結された電極配線をさらに含むことを特徴とする請求項１に記載のタッチパネル。
【請求項７】
前記電極配線は、前記電極パターンと一体に形成されることを特徴とする請求項６に記載のタッチパネル。
【請求項８】
前記電極配線に連結されたフレキシブルプリント回路基板をさらに含むことを特徴とする請求項６に記載のタッチパネル。
【請求項９】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせからなることを特徴とする請求項１に記載のタッチパネル。
【請求項１０】
前記電極パターンは、銀塩乳剤層を露光／現像して形成された金属銀からなることを特徴とする請求項１に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
一方、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式及び静電容量方式のタッチパネルである。
【０００７】
なお、特許文献１に開示されたように、従来技術によるタッチパネルは、電極配線などを隠すために最外側に配置された第１上部透明フィルムに印刷層を形成する。しかし、印刷層が所定の厚さを有することで段差が生じる。結果、印刷部の段差により、第１上部透明フィルムと第２上部透明フィルムを光学接着フィルムで接着する際に光学接着フィルムに気泡が生じる問題点が発生する。このような気泡の発生をできるだけ防止するために光学接着フィルムを厚く形成する案が挙げられるが、この場合、タッチパネルの全体の厚さが増加し、センシング感度が低下する問題点がある。また、発生した気泡を除去するためにオートクレーブ（Ａｕｔｏｃｌａｖｅ）内で圧力を無理に高めなければならない問題点も発生する。
【先行技術文献】
【特許文献】
【０００８】
【特許文献１】韓国公開特許第１０−２０１０−０１１８６８０号公報
【発明の概要】
【発明が解決しようとする課題】
【０００９】
本発明は、前記のような問題点を解決するために導き出されたものであり、本発明の目的は、ウィンドウの一面に印刷部を埋め込み、印刷部の厚さによる段差を除去することで、ウィンドウと透明基板を接着させる接着層に気泡が生じることを最小化することができるタッチパネルを提供することにある。
【課題を解決するための手段】
【００１０】
本発明の好ましい実施例によるタッチパネルは、ウィンドウと、前記ウィンドウの一面に形成された凹部に埋め込まれた印刷部と、透明基板と、前記透明基板の一面または両面に形成された電極パターンと、前記ウィンドウの一面と前記透明基板を接着させる接着層と、を含んでなる。
【００１１】
ここで、前記凹部の厚さと前記印刷部の厚さは、同一であることを特徴とする。
【００１２】
また、前記印刷部は、スパッタ（Ｓｐｕｔｔｅｒ）により形成されることを特徴とする。
【００１３】
また、前記印刷部は、黒色、白色、金色、赤色、緑色、黄色、灰色、紫色、褐色、青色またはこれらを組み合わせた色を有することを特徴とする。
【００１４】
また、前記接着層は、光学用透明接着剤（Ｏｐｔｉｃａｌ  Ｃｌｅａｒ  Ａｄｈｅｓｉｖｅ；ＯＣＡ）であることを特徴とする。
【００１５】
また、前記電極パターンに連結された電極配線をさらに含むことを特徴とする。
【００１６】
また、前記電極配線は、前記電極パターンと一体に形成されることを特徴とする。
【００１７】
また、前記電極配線に連結されたフレキシブルプリント回路基板をさらに含むことを特徴とする。
【００１８】
また、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせからなることを特徴とする。
【００１９】
また、前記電極パターンは、銀塩乳剤層を露光／現像して形成された金属銀からなることを特徴とする。
【発明の効果】
【００２０】
本発明によると、ウィンドウの一面に印刷部を埋め込み、印刷部の厚さによる段差を除去することで、接着層に気泡が生じることを最小化することができる利点がある。
【００２１】
また、本発明によると、接着層に気泡が生じることを最小化することができるため、気泡を除去するためにオートクレーブ（Ａｕｔｏｃｌａｖｅ）内で圧力を無理に高める必要がないという効果がある。
【００２２】
さらに、本発明によると、ウィンドウの一面に印刷部を埋め込み、印刷部の厚さによる段差を除去することで、段差を吸収するための必要以上の厚い接着層を用いることなく最小厚さの接着層を用いることができる利点がある。
【図面の簡単な説明】
【００２３】
【図１】本発明の好ましい実施例によるタッチパネルの断面図である。
【図２】本発明の好ましい実施例によるタッチパネルの断面図である。
【図３】本発明の好ましい実施例によるタッチパネルの断面図である。
【発明を実施するための形態】
【００２４】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２５】
以下、添付図面を参照して、本発明の好ましい実施例を詳細に説明する。
【００２６】
図１から図３は、本発明の好ましい実施例によるタッチパネルの断面図である。
【００２７】
図１から図３に図示されたように、本実施例によるタッチパネル１００は、ウィンドウ１１０と、ウィンドウ１１０の一面に形成された凹部１１５に埋め込まれた印刷部１２０と、透明基板１３０と、透明基板１３０の一面または両面に形成された電極パターン１４０と、ウィンドウ１１０の一面と透明基板１３０を接着させる接着層１５０と、を含む構成を有する。
【００２８】
前記ウィンドウ（Ｗｉｎｄｏｗ）１１０は、タッチパネル１００の最外側に備えられ、電極パターン１４０及び電極配線１６０などのタッチパネル１００の内部構成を保護し、他面（印刷部１２０が埋め込まれた一面の反対面）からユーザのタッチを収容する機能を果たす。ここで、ウィンドウ１１０の材質は特に限定されないが、ガラスまたは強化ガラスなどで形成することができる。一方、ウィンドウ１１０の一面には印刷部１２０を埋め込む凹部１１５が形成される。
【００２９】
前記印刷部１２０は、電極配線１６０を隠したり、ロゴ（Ｌｏｇｏ）などを表示する機能を果たすものであり、ウィンドウ１１０の一面に形成された凹部１１５に埋め込まれて形成される。ここで、印刷部１２０は、通常マイクロメータ単位の相対的に厚い厚さを有する。しかし、印刷部１２０がウィンドウ１１０の凹部１１５に埋め込まれることで印刷部１２０とウィンドウ１１０との間に段差が生じることを防止することができる。このように、段差が生じることを防止することでウィンドウ１１０と透明基板１３０を接着させる接着層１５０に気泡が生じることを最小化することができる利点がある。また、印刷部１２０とウィンドウ１１０との間に段差が生じることを完全に防止するために、凹部１１５の厚さＴと印刷部１２０の厚さＴを同一に形成することができる。ここで、「同一」とは、凹部１１５の厚さＴと印刷部１２０の厚さＴが数学的に完全に一致するという意味ではなく、タッチパネル１００の製造工程で生じる加工誤差などによる微細な厚さの変化を含むものである。
【００３０】
一方、印刷部１２０は、例えば、スクリーン印刷法（Ｓｃｒｅｅｎ  Ｐｒｉｎｔｉｎｇ）またはスパッタ（Ｓｐｕｔｔｅｒ）などを用いて形成することができる。このうち、スパッタを用いて印刷部１２０を形成すると、印刷部１２０の厚さＴをナノメータ単位まで薄く形成することができ、このような印刷部１２０の厚さＴに対応して凹部１１５の厚さＴも薄く形成することができる。
【００３１】
また、印刷部１２０は、黒色、白色、金色、赤色、緑色、黄色、灰色、紫色、褐色、青色またはこれらを組み合わせた色を有することができる。印刷部１２０を上述したそれぞれの色に形成することができる物質について具体的に説明すると、次のとおりである。
【００３２】
まず、カーボン系物質（Ｇｒａｐｈｅｎｅ  ｏｘｉｄｅ、ＤＬＣ：Ｄｉａｍｏｎｄ  Ｌｉｎｅ  Ｃａｒｂｏｎ）、クロム系酸化物（ＣｒＯ、ＣｒＯ２）、銅系酸化物（ＣｕＯ）、マンガン系酸化物（ＭｎＯ２）、コバルト系酸化物（ＣｏＯ）、硫化物（ＣｏＳ２、Ｃｏ３Ｓ４）、ニッケル系酸化物（Ｎｉ２Ｏ３）、ＨｇＴｅ、ＹＢａ２Ｃｕ３Ｏ７、ＭｏＳ２、ＲｕＯ２、ＰｄＯ、ＩｎＰ、ＳｎＯ、ＴａＮまたはＴａＳ２などを用いると、印刷部１２０を黒色に形成することができる。
【００３３】
また、チタン系酸化物（ＴｉＯ２）、アルミニウム系酸化物（Ａｌ２Ｏ３）、マグネシウム系酸化物（ＭｇＯ）、ナトリウム系酸化物（Ｎａ２Ｏ）、リチウム系酸化物（Ｌｉ２Ｏ）、ベリリウム系酸化物（ＢｅＯ）、マグネシウム系硫化物（ＭｇＳ）、ＭｇＦ２、ＭｇＣｏ３、ＺｎＯ、ＺｎＳ、ＫＮＯ３、ＫＣｌ、ＫＯＨ、Ｇａ２Ｏ３、ＲｂＣｌ、ＲｂＦ、ＢａＴｉＯ３、ＢａＳＯ４、ＢａＣｌ２、ＢａＯ、Ｂａ（ＮＯ３）２、ＢａＣＯ３、ＢａＯＨ、ＢａＢ２Ｏ４、ＳｒＴｉＯ３、ＳｒＣｌ２、ＳｒＯ、Ｙ２Ｏ３、ＹＣｌ３、ＹＦ３、ＺｒＯ２、ＺｒＣｌ４、ＺｒＦ４、Ｎｂ２Ｏ５、ＮｂＯＣｌ３、Ｍｏ（ＣＯ）６、ＣｄＣｌ２、ＩｎＣｌ３、ＳｎＯ２、Ｓｂ２Ｏ３、ＣｓＩ、ＣｓＣｌ、ＣｓＦ、Ｔａ２Ｏ５、ＴａＣｌ５またはＴａＦ５などを用いると、印刷部１２０を白色に形成することができる。
【００３４】
また、チタン系窒化物（ＴｉＮ）などを用いると、印刷部１２０を金色に形成することができ、銅系酸化物（Ｃｕ２Ｏ）、鉄系酸化物（Ｆｅ２Ｏ３）、ＺｎＴｅ、トリス（ビピリジン）ルテニウムクロリド（Ｔｒｉｓ（ｂｉｐｙｒｉｄｉｎｅ）ｒｕｔｈｅｎｉｕｍ  ｃｈｌｏｒｉｄｅ）、ＰｄＣｌ２またはＣｄＳｅなどを用いると、印刷部１２０を赤色に形成することができる。
【００３５】
また、クロム系酸化物（Ｃｒ２Ｏ３）、ＭｎＯ、ＮｉＯ、ＭｏＣｌ５またはＢｉＩ３などを用いると、印刷部１２０を緑色に形成することができ、ナトリウム系酸化物（Ｎａ２Ｏ２）、Ｋ２Ｏ、ＣａＯ、Ｖ２Ｏ５、ＺｎＳｅ、ＧａＮ、ＧａＰ、Ｒｂ２Ｏ、ＮｂＣｌ５、ＣｄＳ、ＣｄＩ２、Ｉｎ２Ｏ３、Ｓｂ２Ｏ５、Ｃｓ２Ｏ、ＷＯ３またはＢｉ２Ｏ３などを用いると、印刷部１２０を黄色に形成することができる。
【００３６】
また、ＭｇＢ２、Ｓｉ３Ｎ４、ＲｂＯＨ、ＢａＯ２、ＺｒＣ、ＮｂＯ、ＭｏＳｉ２、ＷＣまたはＢｉ２Ｔｅ３などを用いると、印刷部１２０を灰色に形成することができ、Ｒｕ（ａｃａｃ）３などを用いると、印刷部１２０を紫色に形成することができる。
【００３７】
また、Ｐｄ（Ｏ２ＣＣＨ３）２、ＣｄＯ、ＩｎＳｂまたは炭化タンタル（Ｔａｎｔａｌｕｍ  ｃａｒｂｉｄｅ）などを用いると、印刷部１２０を褐色に形成することができ、ＷＣｌ６などを用いると、印刷部１２０を青色に形成することができる。
【００３８】
それだけでなく、前記物質を組み合わせると、印刷部１２０を黒色、白色、金色、赤色、緑色、黄色、灰色、紫色、褐色、青色のうち２以上を組み合わせた色に形成することができる。
【００３９】
前記透明基板１３０は、電極パターン１４０及び電極配線１６０などが形成される領域を提供する機能を果たす。ここで、透明基板１３０は、電極パターン１４０及び電極配線１６０などを支持するための支持力と、画像表示装置で提供する画像をユーザが認識するための透明性を備えなければならない。前記支持力及び透明性を考慮すると、透明基板１３０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００４０】
前記電極パターン１４０は、ユーザがタッチする際に信号を発生し、制御部でタッチ座標を認識させる機能を果たすものであり、透明基板１３０の両面（図１参照）または一面（図２または図３参照）に形成されることができる。ここで、電極パターン１４０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いてメッシュパターン（Ｍｅｓｈ  Ｐａｔｔｅｒｎ）に形成することができる。具体的に、電極パターン１４０は、電気伝導度の高い銅（Ｃｕ）、アルミニウム（Ａｌ）、金（Ａｕ）、銀（Ａｇ）を用いて形成することが好ましいが、電気伝導度を有する全ての金属を用いることができることは言うまでもない。また、電極パターン１４０を銅（Ｃｕ）で形成する場合、電極パターン１４０の表面に黒化処理を施すことが好ましい。ここで、黒化処理とは、電極パターン１４０の表面を酸化させてＣｕ２ＯまたはＣｕＯを析出することであり、Ｃｕ２Ｏは褐色を帯びるためブラウンオキサイド（Ｂｒｏｗｎ  Ｏｘｉｄｅ）とし、ＣｕＯは黒色を帯びるためブラックオキサイド（Ｂｌａｃｋ  Ｏｘｉｄｅ）とする。このように、電極パターン１４０の表面に黒化処理を施すことで、光が反射することを防止することができ、これによりタッチパネル１００の視認性を向上させることができる利点がある。
【００４１】
また、上述した金属の他にも、電極パターン１４０は、銀塩乳剤層を露光／現像して形成された金属銀、ＩＴＯ（Ｉｎｄｉｕｍ  Ｔｉｎ  Ｏｘｉｄｅ）、ＰＥＤＯＴ／ＰＳＳ、ＣＮＴ（Ｃａｒｂｏｎ  Ｎａｎｏｔｕｂｅ）、グラフェン（Ｇｒａｐｈｅｎｅ）、ＺｎＯ（Ｚｉｎｃ  Ｏｘｉｄｅ）またはＡＺＯ（Ａｌ−ｄｏｐｅｄ  Ｚｉｎｃ  Ｏｘｉｄｅ）などを用いて形成することができる。
【００４２】
前記接着層１５０は、ウィンドウ１１０の一面と透明基板１３０を接着する機能を果たす。ここで、接着層１５０は、光学用透明接着剤（Ｏｐｔｉｃａｌ  Ｃｌｅａｒ  Ａｄｈｅｓｉｖｅ；ＯＣＡ）であってもよく、その他にも当業界に公知された全ての種類の接着剤を用いてもよいのは言うまでもない。一方、上述したように、印刷部１２０は、ウィンドウ１１０の一面に埋め込まれるため、ウィンドウ１１０の一面には、段差が生じない。従って、ウィンドウ１１０の一面と透明基板１３０を接着する際に、接着層１５０に気泡が生じることを最小化することができる。このように、接着層１５０に気泡が生じることを最小化することができるため、気泡を除去するために、オートクレーブ（Ａｕｔｏｃｌａｖｅ）内で圧力を無理に高める必要がない。また、ウィンドウ１１０の一面に印刷部１２０を埋め込み、印刷部１２０の厚さによる段差を除去することで、段差を吸収するための必要以上の厚い接着層１５０を用いることなく、最小厚さの接着層１５０を用いることができる。
【００４３】
一方、電極パターン１４０の縁部には、電極パターン１４０から電気的信号の伝達を受ける電極配線１６０が形成される。ここで、電極配線１６０は、ユーザに認識されないように印刷部１２０に対応する領域に形成することができる。また、電極配線１６０は、電気伝導度に優れた銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いて形成することができるが、これに限定されず、ＩＴＯ（Ｉｎｄｉｕｍ  Ｔｉｎ  Ｏｘｉｄｅ）、ＰＥＤＯＴ／ＰＳＳ、ＣＮＴ（Ｃａｒｂｏｎ  Ｎａｎｏｔｕｂｅ）、グラフェン（Ｇｒａｐｈｅｎｅ）、ＺｎＯ（Ｚｉｎｃ  Ｏｘｉｄｅ）またはＡＺＯ（Ａｌ−ｄｏｐｅｄ  Ｚｉｎｃ  Ｏｘｉｄｅ）などを用いて形成することもできる。一方、電極配線１６０は、必要に応じて、電極パターン１４０と一体に形成することができる。このように、電極配線１６０と電極パターン１４０を一体に形成することで、電極配線１６０と電極パターン１４０との間の接合不良を予め防止するだけでなく、製造工程を簡素化し、リードタイム（Ｌｅａｄ  Ｔｉｍｅ）を短縮することができる。
【００４４】
さらに、電極配線１６０と集積回路（Ｉｎｔｅｇｒａｔｅｄ  Ｃｉｒｃｕｉｔ）１８０を連結するフレキシブルプリント回路基板（Ｆｌｅｘｉｂｌｅ  Ｐｒｉｎｔｅｄ  Ｃｉｒｃｕｉｔ  Ｂｏａｒｄ）１７０が備えられることができる。具体的に、フレキシブルプリント回路基板１７０の一端は、異方伝導性フィルム（ＡＣＦ；Ａｎｉｓｏｔｒｏｐｉｃ  Ｃｏｎｄｕｃｔｉｖｅ  Ｆｉｌｍ）または異方伝導性接着剤（ＡＣＡ；Ａｎｉｓｏｔｒｏｐｉｃ  Ｃｏｎｄｕｃｔｉｖｅ  Ａｄｈｅｓｉｖｅ）などの伝導性接着物質１７５により電極配線１６０に連結されることができる。また、フレキシブルプリント回路基板１７０の他端には、集積回路１８０が実装されることができる。
【００４５】
一方、透明基板１３０の下面には、光学用透明接着剤１９５により接着されたＡＲフィルム（Ａｎｔｉ−Ｒｅｆｌｅｃｔｉｏｎ  Ｆｉｌｍ）１９０が備えられることができる。ここで、ＡＲフィルム１９０は、反射を抑制してグレアを防止したり、画像表示装置から生じるノイズ（Ｎｏｉｓｅ）を遮断する機能を果たす。
【００４６】
本実施例によるタッチパネル１００において、電極パターン１４０は、２層構造（図１参照）または単層構造（図１または図２参照）に形成されることができる。従って、本実施例によるタッチパネル１００は、自己静電容量方式（Ｓｅｌｆ  Ｃａｐａｃｉｔｉｖｅ  Ｔｙｐｅ）のタッチパネルまたは相互静電容量方式（Ｍｕｔｕａｌ  Ｃａｐａｃｉｔｉｖｅ  Ｔｙｐｅ）のタッチパネルなどに用いることができる。
【００４７】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００４８】
本発明の単純な変形乃至変更はいずれも本発明の領域に属するものであり、本発明の具体的な保護範囲は添付の特許請求の範囲により明確になるであろう。
【産業上の利用可能性】
【００４９】
本発明は、タッチパネルに適用可能である。
【符号の説明】
【００５０】
１００  タッチパネル
１１０  ウィンドウ
１１５  凹部
１２０  印刷部
１３０  透明基板
１４０  電極パターン
１５０  接着層
１６０  電極配線
１７０  フレキシブルプリント回路基板
１７５  伝導性接着物質
１８０  集積回路
１９０  ＡＲフィルム
１９５  光学用透明接着剤
Ｔ  印刷部と凹部の厚さ
【図１】
2013122762.tif 000003
【図２】
2013122762.tif 000004
【図３】
2013122762.tif 000005